(57)【要約】【課題】  同時通電型の二重遮断弁であっても上流側の遮断弁のガス漏れ判定を行うことができるようにするとともに、ガス漏れ判定時のガス漏れを少なくすることを可能とすること。【解決手段】  ガス供給路３と、このガス供給路３に設けた第一遮断弁４と、この第一遮断弁４の下流側のガス供給路３に設けた第二遮断弁５と、この第二遮断弁５と並列に形成した補助通路６と、この補助通路６に設けた検出弁７と、第一遮断弁４および第二遮断弁５との間の圧力を検出する圧力検出手段８と、第一遮断弁４および第二遮断弁５の閉から設定時間遅れて検出弁７を閉じ、この検出弁７閉後の圧力検出手段の検出圧力の変化に基づき第一遮断弁４の漏れを検出するガス漏れ検出手段９とを備えたことを特徴とする。また、第一遮断弁４および第二遮断弁５が同時通電型の弁１１であることを特徴とする。さらに、補助通路６の配管径を前記ガス供給路３のそれよりも小さくするか、補助通路６にオリフィスを設けたことを特徴とする。【選択図】    図１
2006017657.tif 000002
【特許請求の範囲】
【請求項１】
ガス供給路３と、このガス供給路３に設けた第一遮断弁４と、この第一遮断弁４の下流側の前記ガス供給路３に設けた第二遮断弁５と、この第二遮断弁５と並列に形成した補助通路６と、この補助通路６に設けた検出弁７と、前記第一遮断弁４および前記第二遮断弁５との間の圧力を検出する圧力検出手段８と、前記第一遮断弁４および前記第二遮断弁５の閉から設定時間遅れて前記検出弁７を閉じ、この検出弁７閉後の前記圧力検出手段８の検出圧力の変化に基づき前記第一遮断弁４の漏れを検出するガス漏れ検出手段９とを備えたことを特徴とするガス漏れ検出装置。
【請求項２】
前記第一遮断弁４および前記第二遮断弁５が同時通電型遮断弁１１であることを特徴とする請求項１に記載のガス漏れ検出装置。
【請求項３】
前記補助通路６の配管径を前記ガス供給路３のそれよりも小さくするか、前記補助通路６にオリフィスを設けたことを特徴とする請求項１または請求項２に記載のガス漏れ検出装置。
【発明の詳細な説明】
【技術分野】
【０００１】
この発明は、ガスバーナを有するボイラなどのガス供給路に設けた遮断弁のガス漏れを検出するガス漏れ検出装置に関する。
【背景技術】
【０００２】
ボイラなどにおいては、ガス漏れによる危険を少なくするために、ガス供給路に二重遮断弁を設けている。そして、上流側の遮断弁のガス漏れを検出するには、ガスが使用されていない燃焼停止時に、上流側の遮断弁の閉から所定時間経過に下流側の遮断弁を閉じて、両遮断弁間の圧力の上昇が有る場合に上流側の遮断弁に漏れが生じていると判定する（特許文献１参照）。
【０００３】
【特許文献１】特開２００３−１３０３４７号公報
【発明の開示】
【発明が解決しようとする課題】
【０００４】
こうした従来のガス漏れ検出装置によれば、二重遮断弁が同時通電型であると、上流側遮断弁と下流側遮断弁とを別々に駆動することができないので、特許文献１に記載の判定方法を実施することができない。また、従来装置においては、上流側遮断弁の閉から下流側遮断弁の閉までの間にガス供給路を通してガスが漏れることになるが、ガス供給路の管径は、ガス使用機器側の要求により決められるので、ガス漏れ判定中のガス漏れ量を少なくすることができない。
【０００５】
この発明が解決しようとする課題は、同時通電型の二重遮断弁であっても上流側の遮断弁のガス漏れ判定を行うことができるようにするとともに、ガス漏れ判定時のガス漏れ量を少なくすることを可能とすることである。
【課題を解決するための手段】
【０００６】
この発明は、前記課題を解決するためになされたもので、請求項１に記載の発明は、ガス供給路と、このガス供給路に設けた第一遮断弁と、この第一遮断弁の下流側の前記ガス供給路に設けた第二遮断弁と、この第二遮断弁と並列に形成した補助通路と、この補助通路に設けた検出弁と、前記第一遮断弁および前記第二遮断弁との間の圧力を検出する圧力検出手段と、前記第一遮断および前記第二遮断弁の閉から設定時間遅れて前記検出弁を閉じ、この検出弁閉後の前記圧力検出手段の検出圧力の変化に基づき前記第一遮断弁の漏れを検出するガス漏れ検出手段とを備えたことを特徴としている。
【０００７】
請求項２に記載の発明は、請求項１において、前記第一遮断弁４および前記第二遮断弁５が同時通電型遮断弁１１であることを特徴としている。
【０００８】
請求項１および請求項２に記載の発明によれば、同時通電型の二重遮断弁においても上流側の第一遮断弁のガス漏れを検出することができる。
【０００９】
さらに、請求項３に記載の発明は、請求項２において、前記補助通路６の配管径を前記ガス供給路のそれよりも小さくするか、前記補助通路にオリフィスを設けたことを特徴としている。
【００１０】
請求項３に記載の発明によれば、ガス漏れ判定時の補助通路を通して流出するガス量を低減することができ、安全性を向上することができる。
【発明の効果】
【００１１】
この発明によれば、同時通電型の二重遮断弁であっても上流側の遮断弁のガス漏れ判定を行うことができるとともに、ガス漏れ判定時のガス漏れ量を少なくすることができる。
【発明を実施するための最良の形態】
【００１２】
つぎに、この発明の実施の形態について説明する。この実施の形態は、ガス供給路に二重遮断弁を設けたボイラなどのガス漏れ検出装置において好適に実施されるが、ガス供給によるガス供給先の機器は、バーナに限定されるものではない。
【００１３】
この実施の形態の概要を説明する。この実施の形態は、ガス供給路と、このガス供給路に設けた第一遮断弁と、この第一遮断弁の下流側の前記ガス供給路に設けた第二遮断弁と、この第二遮断弁と並列に形成した補助通路と、この補助通路に設けた検出弁と、前記第一遮断弁および前記第二遮断弁との間の圧力を検出する圧力検出手段と、前記第一遮断弁および前記第二遮断弁の閉から所定時間遅れて前記検出弁を閉じ、この検出弁閉後の前記圧力検出手段の検出圧力の変化に基づき前記第一遮断弁の漏れを検出するガス漏れ検出手段とを備えたことを特徴としている。
【００１４】
この実施の形態においては、前記第一遮断弁のガス漏れを検出する際には、まず前記第一遮断弁および第二遮断弁を閉じ、つづいて所定時間後に前記検出弁を閉じる。すると、前記第一遮断弁に漏れが発生している場合は、両遮断弁間の圧力が上昇し、漏れが発生していない場合は、両遮断弁間の圧力の変化が生じない。この両遮断弁間の圧力変化を前記圧力手段により検出することにより、前記ガス漏れ検出手段は、前記第一遮断弁のガス漏れの有無を判定することができる。
【００１５】
つぎに、この実施の形態の構成要素について説明する。前記ガス供給路は、このガス供給路通してガスが供給される機器の仕様により、その管径が定められる。前記機器は、ガスバーナなどのガス使用機器である。
【００１６】
前記第一遮断弁および前記第二遮断弁は、このガス供給のガスの流れを断続する機能を有し、それぞれ前記ガス供給路の上流側，下流側に配置される。この両遮断弁は、好ましくは、通電（開放）および通電停止（遮断）が同時にしか行えない同時通電型で、一体型の電磁弁とする。しかしながら、独立して通電と通電停止とを制御できる電磁弁とすることができる。
【００１７】
前記補助通路は、前記両遮断弁間の通路に存在するガスを逃がす機能を有するもので、前記第二遮断弁と並列になるように、前記ガス供給路に接続される。この補助通路には、前記検出弁が設けられる。そして、好ましくは、前記補助通路および前記検出弁の合計の流通抵抗が、前記補助通路の両端の前記ガス供給路への接続点間における前記ガス供給路および前記第二遮断弁の合計の流通抵抗よりも小さくなるように構成される。この流通抵抗の調整は、前記ガス供給路の管径より小さい管径の配管を用いるか、前記補助通路にオリフィスなどの抵抗体を設けるか、前記検出弁の流通抵抗の調整により実現することができる。
【００１８】
こうした流通抵抗の増大により、前記両遮断弁の閉から前記検出弁の閉までの間に前記補助通路を通して流出するガス量を少なくでき、特に前記使用機器がバーナである場合には、ガス漏れ判定のためのガス漏れによる危険を低減できる。
【００１９】
さらに、前記ガス漏れ検出手段は、前記両遮断弁および前記検出弁を制御して、前記圧力検出手段により前記両遮断弁間の圧力変化を検出して、前記第一遮断弁のガス漏れの有
無を判定する機能を有する。より具体的には、このガス漏れ検出手段は、前記ガス使用機器の運転停止中に、まず前記両遮断弁を閉じるとともに前記検出弁を開き、所定時間経過後に前記検出弁を閉じ、前記両遮断弁間の閉空間（検出空間）の圧力変化を前記圧力検出手段にて検出する。そして、前記検出弁の閉後に圧力が上昇すると、ガス漏れ有りと判定する制御を行う。前記圧力検出手段は、みずからが設定圧力の到達を検出するスイッチ機能を有するものとすることができるが、単に圧力を検出する機能だけのセンサとすることもできる。
【実施例】
【００２０】
以下、この発明の具体的実施例を図面に基づいて詳細に説明する。図１は、この発明を実施するボイラの概略的説明図であり、図２は、同実施例の動作を説明するタイムチャート図である。
【００２１】
まず、図１を参照して、この実施例のガス漏れ検出装置は、ボイラ１のバーナ２へガスを供給するガス供給路３と、このガス供給路３に設けた第一遮断弁４と、この第一遮断弁４の下流側の前記ガス供給路３に設けた第二遮断弁５と、この第二遮断弁５と並列に形成した補助通路６と、この補助通路６に設けた検出弁７と、前記第一遮断弁４および前記第二遮断弁５との間の圧力を検出する圧力スイッチ８と、前記第一遮断弁４の漏れを検出するガス漏れ検出手段としての制御器９とを主要部として備える。
【００２２】
前記バーナ２は、ガス燃料を燃焼させるガスバーナである。前記各遮断弁４，５は、前記ガス供給路３に直列に設けられており、前記バーナ２の燃焼動作の開始時には、前記両燃料弁４，５を開き、燃焼動作の停止時には前記両遮断弁４，５を閉じるようになっている。
【００２３】
前記両遮断弁４，５は、同時通電型で一体型の二重遮断弁１１として構成されている。同時通電型とは、前記各遮断弁４，５を独立して制御できない、同時通電，同時通電停止を行う型の電磁弁である。また、一体型とは、前記両遮断弁が、一体化されている型の電磁弁である。この実施例では、一体化されているが、この両遮断弁４，５間の第一管路１２は露出していて後記補助通路７を接続可能としている。しかしながら、この両遮断弁４，５間に通じ、前記補助通路７が接続可能な接続口（図示省略）を有する一体型の二重遮断弁とすることができる。
【００２４】
また、前記バーナ２には、燃焼用空気の供給と、プレパージやポストパージなどのパージ用空気の供給のための送風路１３が形成されている。
【００２５】
前記補助通路６は、その管径を前記ガス供給路３の管径より小さくしている。
【００２６】
つぎに、前記制御器９による制御構成について説明する。この制御器９は、前記圧力スイッチ８，前記ボイラ１の缶体１４内の圧力（負荷）を検出する負荷検出センサ１５からの信号を入力して、前記両遮断弁４，５，前記検出弁７および前記缶体１４への給水ポンプ１６を制御する。この制御器９による制御は、前記負荷検出センサ１５の信号が設定値となるように前記バーナ２の燃焼を制御する燃焼制御と、前記給水ポンプ給水１６を制御して前記缶体１４内の水位を設定値に制御する給水制御とを含む。前記燃焼制御には、この発明の特徴とするガス漏れ検出の制御を含む。これらの制御は、予め記憶された制御手順により実行される。
【００２７】
ここで、この実施例による前記第一遮断弁４のガス漏れ検出の動作を図２に従い、以下に説明する。前記第一遮断弁４の漏れ状態の検出は、前記バーナ２の燃焼停止時行う。前記各遮断弁４，５を閉じて燃焼動作を終了させる。そして、前記制御器９は、前記第一遮
断弁４および前記第二遮断弁５を閉じ、前記検出弁７を開く。この状態を第一設定時間Ｔ１保持する。これにより、前記両遮断弁４，５間の第一管路１２に存在するガスが前記補助通路６を介して前記バーナ２側へ流出する。その結果、前記第一管路１２内の圧力（検出圧力）が図２の曲線Ａに示すように下降し、第一設定圧Ｐ１となると前記圧力スイッチ８がＯＮからＯＦＦへと変化し、同圧力は最終的に第二設定圧Ｐ２に到達する。
【００２８】
第一設定時間Ｔ１が経過すると、前記制御器９は、第二設定時間Ｔ２の間、圧力監視を行う。ここで前記第一遮断弁４にガス漏れが発生していると、図２の曲線Ｂに示すように、前記検出圧力が上昇し始め、前記第一設定圧Ｐ１を越えて、前記圧力スイッチ８がＯＮする。これにより、前記制御器９は、前記第一遮断弁４にガス漏れ有りと判定し、図示しない報知器にてガス漏れを警報する。逆に、前記検出圧力が変化しない場合は、前記第一遮断弁４の漏れはないと判定する。
【００２９】
この発明は、前記実施例に限定されるものではなく、前記両遮断弁４，５を独立して制御可能な電磁弁とすることができる。この場合、前記両遮断弁４，５は、ガス漏れ判定時前記制御器９により同時に制御されるように構成される。
【００３０】
また、前記実施例では、圧力スイッチ８を用いて、ガス漏れを検出しているが、単なる圧力センサ（図示省略）により圧力を検出して、前記制御器９により前記第一設定圧Ｐ１を越えることを判定するように構成することができる。
【図面の簡単な説明】
【００３１】
【図１】この発明を実施するボイラの概略的説明図である。
【図２】同実施例の動作を説明するタイムチャート図である。
【符号の説明】
【００３２】
３  ガス供給路
４  第一遮断弁  
５  第二遮断弁
６  補助通路
７  検出弁
８  圧力検出手段
９  制御器
【図１】
2006017657.tif 000003
【図２】
2006017657.tif 000004